(57)【要約】【課題】  ビル等の建築工事で、コンクリートの型枠の所定位置へ正確に、且つ容易に設置するためのインサート固定具であって、コンクリートへ埋設後の型枠を取外した後の釘処理も容易にしたインサート固定具を提供する。【解決手段】  円盤状の台座２の軸線上に突出した保持部３を設け、該保持部３の中心に釘１０を垂直に挿入させる貫通孔４を有し、また、インサート７の螺子穴Ｇに該保持部３がきつめに嵌合するように外周が多角形又は円柱で形成し、台座２の内周には一段下がった位置にインサート収まり台座２ａが保持部３と結合部８で結合し、台座２から直立した方位羽５に台座２と平行したフランジ部６から構成する。【選択図】図１
2010270576.tif 000002
【特許請求の範囲】
【請求項１】
円盤状の台座２の軸線上に突出した保持部３を設け、該保持部３の中心に釘１０を垂直に挿入させる貫通孔４を有し、また、インサート７の螺子穴Ｇに該保持部３がきつめに嵌合するように外周が多角形又は円柱で形成し、台座２の内周には一段下がった位置にインサート収まり台座２ａが保持部３と結合部８で結合し、台座２から直立した方位羽５に台座２と平行したフランジ部６を設けたインサート固定具。
【発明の詳細な説明】
【技術分野】
【０００１】  本発明は、ビルディング等の建築工事にてコンクリート構造物に埋設するインサートを型枠に固定するためのインサート固定具に関するものである。
【背景技術】
【０００２】  従来、この種のインサート固定具としては、コンクリートの型枠の所定位置に凡そのところで台座を据付けて複数の釘を前記型枠に打付けて固定し、インサートを台座に打込んでコンクリートを打設後、脱型してコンクリートに埋設するものが、特許公開平１１−３４８０２７号広報に開示されている。しかし、この広報に掲載されたインサート保持具は、型枠への複数の釘の打込み及び脱型後のコンクリート面から突出した複数の釘を切断等する釘処理に手間を取っていた。【０００３】  しかも、この広報に掲載されたインサート保持具にコンクリートの型枠へ打込む釘に鉄釘を使用すると、釘処理が大変なばかりか、コンクリートに残置した釘が大気により鉄腐食が始まりコンクリートの劣化に繋がる。そこで、腐食し難く切断が容易な樹脂製の釘が普遍的になったが、素材の特性的に強度が劣るため施工中に樹脂製の釘が折れる事がある。【０００４】  そこで、１本の釘で型枠に固定すべくインサートの中央に１本の釘を配置して型枠へ打込み、コンクリート内に埋設された後の脱型後にはコンクリート側から釘を楽に離脱させることのできるものが、特許公開２００８−７５３９５号広報に開示されている、しかし、この広報に掲載されたインサートは、構造が複雑なため製作コスト的に高価なものとなってしまう難点がある。
【特許文献１】特許公開平１１−３４８０２７号広報
【特許文献２】特許公開２００８−７５３９５号広報
【発明の開示】
【発明が解決しようとする課題】
【０００５】  そこで、本発明は、折れ難い適宜素材の釘を１本でコンクリートの型枠に容易に固定でき、釘の打込み時には型枠に対し垂直に打込めるように保持し、案内するとともに、脱型時には釘が離脱されて型枠側に残ることがなく、釘はインサート固定具に保持される一体構造で形成し、コンクリート面から突出した釘をペンチ等で掴んで引抜くことができるインサート固定具の提供を課題とするものである。
【課題を解決するための手段】
【０００６】  前記従来例の課題を解決する具体的手段として本発明は、円盤状の台座２の軸線上に突出した保持部３を設け、該保持部３の中心に釘１０を垂直に挿入させる貫通孔４を有し、また、インサート７の螺子穴Ｇに該保持部３がきつめに嵌合するように外周が多角形又は円柱で形成し、台座２の内周には一段下がった位置にインサート収まり台座２ａが保持部３と結合部８で結合し、台座２から直立した方位羽５に台座２と平行したフランジ部６を設ける。
本発明は、以上の構成よりなるインサート固定具である。
【発明の効果】
【０００７】  以上に説明したように、本発明に係るインサート固定具は、単純構造で一体形成のためコストが安価で、且つ、コンクリートの型枠へ１本の釘のみで固定されるので、型枠への釘の打込み及び脱型後の釘の引抜き処理が容易となるため、作業の省力化の効果が得られる。
【発明を実施するための最良の形態】
【０００８】  以下、本発明の実施形態を図に基づいて説明すると、図１において、１は本発明によるインサート固定具であって円盤状の台座２の軸線上に突出した保持部３を設け、該保持部３の中心に釘１０を垂直に挿入させる貫通孔４を有し、また、インサート７の螺子穴Ｇに該保持部３がきつめに嵌合するように外周が多角形又は円柱で形成し、台座２の内周には一段下がった位置にインサート収まり台座２ａが保持部３と結合部８で結合し、台座２から直立した方位羽５に台座２と平行したフランジ部６を有する。【０００９】  上記構成のインサート固定具１は、図６に示すように、型枠１１に記された直交する２本の罫書線９が交わる点を所定位置として設置する。そこで、インサート固定具１の台座２の中心点から十字線上に形成した四枚の方位羽５を前記罫書線９上に位置を合わせることで、罫書線９の交点に釘１０を打込むことができる。故に、インサート固定具１を所定位置に設置する事ができる。【００１０】  次に続いて、インサート固定具１の施工手順を、図４（ａ）乃至図４（ｄ）と図５に基づいて説明する。まず、図４（ａ）に示すように、型枠１１の所定位置にインサート固定具１を据付け、保持部３の貫通孔４に釘１０を挿入しインサート７を嵌合させる。その状態から次に、図４（ｂ）に示すように、ハンマー等の工具でインサート７を叩打することで同時に釘１０は貫通孔４によって垂直に案内されて型枠１１に打込まれ、インサート７及びインサート固定具１が型枠１１に固定される。ここで、インサート７の先端部分がインサート収まり台座２ａに収まり、台座２の内周に丁度嵌合されるため、コンクリートのノロがインサート７の螺子穴Ｇ内への浸入を防ぎつつ、型枠１１上にコンクリートを打設することができる。【００１１】  次に、コンクリートが硬化した後に、図４（ｃ）に示すように、型枠１１を取外す。このとき、保持部３がインサート７の螺子穴Ｇに嵌合されているのと同時に、該保持部３とインサート収まり台座２ａが結合部８で結合されているため、前記型枠１１を下方に取外しただけでは釘１０及び保持部３は、該型枠１１についていかず、インサート固定具１側にそのまま保持された状態でインサート７及びインサート固定具１が埋設されることとなる。【００１２】  型枠１１を取外した後は、図４（ｃ）に示すように、コンクリートＣから外部に突出している釘１０をペンチ等で掴んで抜取る。このときにインサート固定具１に牽引力が加わるが、図１及び図５で示すフランジ部６の抵抗力によってインサート固定具１がコンクリートＣから抜出るのを防ぎつつ、保持部３とインサート収まり台座２ａの結合部８が分断されて、釘１０と保持部３が一体で離脱される。そのため、図４（ｄ）にしめすように、螺子穴Ｇが開口される。【００１３】  上記によって、図５に示すように、インサート７の螺子穴ＧとボルトＺが螺合することができる。なお、インサート７がコンクリートＣに直接埋設される表面積が大きいため引張強度を増すことができる。
【図面の簡単な説明】
【００１４】
【図１】本発明のインサート固定具の斜視図である。
【図２】図１のＡ−Ａ切断線による断面図である。
【図３】図１のＢ−Ｂ切断線による断面図である。
【図４】図１のＡ−Ａ切断線による断面図で、インサートの埋設方法を示す図である。（ａ）はインサート固定具を型枠に据付けた状態を示す。（ｂ）はインサート固定具にインサートを打込んで型枠に固定後、コンクリートを打設した状態を示す。（ｃ）はコンクリートの硬化後に型枠を取外した状態を示す。（ｄ）はコンクリートに埋設されたインサート固定具の釘処理が施された状態を示す図である。
【図５】図１のＢ−Ｂ切断線による断面図で、コンクリートに埋設されたインサートとボルトが螺合された状態を示す図である。
【図６】図１のインサート固定具を型枠の所定位置に据付けた状態を示す平面図である。
【図７】本発明の底面図である。
【符号の説明】
【００１５】  １  インサート固定具
２  台座
２ａ  インサート収まり台座
３  保持部
４  貫通孔
５  方位羽
６  フランジ部
７  インサート
８  結合部
９  罫書線
１０  釘
１１  型枠
Ｃ  コンクリート
Ｇ  螺子穴
Ｚ  ボルト
【図１】
2010270576.tif 000003
【図２】
2010270576.tif 000004
【図３】
2010270576.tif 000005
【図４】
2010270576.tif 000006
【図５】
2010270576.tif 000007
【図６】
2010270576.tif 000008
【図７】
2010270576.tif 000009